(57)【要約】【課題】  雄雌コネクタの半接続、雄雌コネクタの接続外れ、端子のコネクタへの半挿入、および、端子のコネクタからの抜けを、同時に防止することができる二重ロックコネクタを提供すること。【解決手段】  この二重ロックコネクタは、第１の端子１０を内部に取り付け可能な雄コネクタ１と、第２の端子２０を内部に取り付け可能な雌コネクタ２と、雄コネクタ１および雌コネクタ２に取り付け可能なストッパ３とを備える。このストッパ３は、雄コネクタ１と雌コネクタ２とを接続させるように案内し、かつ、雄コネクタ１と雌コネクタ２との接続の外れを規制するコネクタ案内規制部３１と、第１の端子１０を雄コネクタ１に取り付けるように案内し、かつ、第１の端子１０の雄コネクタ１からの外れを規制すると共に、第２の端子２０を雌コネクタ２に取り付けるように案内し、かつ、第２の端子２０の雌コネクタ２からの外れを規制する端子案内規制部３２とを有する。【選択図】  図１
2005276648.tif 000002
【特許請求の範囲】
【請求項１】
第１の端子を内部に取り付け可能な雄コネクタと、
第２の端子を内部に取り付け可能な雌コネクタと、
対向した状態にある上記雄コネクタおよび上記雌コネクタに取り付け可能なストッパと
を備え、
上記ストッパは、
対向した状態にある上記雄コネクタおよび上記雌コネクタに取り付けられて、上記雄コネクタと上記雌コネクタとを接続させるように案内し、かつ、上記雄コネクタと上記雌コネクタとの接続の外れを規制するコネクタ案内規制部と、
対向した状態にある上記雄コネクタおよび上記雌コネクタに取り付けられて、上記雄コネクタの内部に挿入されている上記第１の端子を上記雄コネクタに取り付けるように案内し、かつ、上記第１の端子の上記雄コネクタからの外れを規制すると共に、上記雌コネクタの内部に挿入されている上記第２の端子を上記雌コネクタに取り付けるように案内し、かつ、上記第２の端子の上記雌コネクタからの外れを規制する端子案内規制部と
を有することを特徴とする二重ロックコネクタ。
【請求項２】
請求項１に記載の二重ロックコネクタにおいて、
上記雄コネクタと上記雌コネクタとの接続方向と、上記雄コネクタおよび上記雌コネクタへの上記ストッパの取付方向とは、略垂直であり、
上記雄コネクタおよび上記雌コネクタは、それぞれ、上記接続方向および上記取付方向に垂直な方向に突出しているコネクタ突起部を有し、
上記ストッパの上記コネクタ案内規制部は、上記取付方向と反対方向へ延在しているストッパ溝部を有し、
このストッパ溝部は、このストッパ溝部の上記接続方向の幅寸法が、上記取付方向と反対方向へ次第に狭くなっているテーパ部を有し、
上記雄コネクタのコネクタ突起部は、上記ストッパ溝部の上記テーパ部の一方の内面を摺動すると共に、上記雌コネクタのコネクタ突起部は、上記ストッパ溝部の上記テーパ部の他方の内面を摺動して、上記雄コネクタと上記雌コネクタとは、上記接続方向に移動することを特徴とする二重ロックコネクタ。
【請求項３】
請求項２に記載の二重ロックコネクタにおいて、
上記ストッパ溝部は、上記テーパ部よりも上記取付方向と反対方向に、上記テーパ部における最小の上記幅寸法よりも大きな上記幅寸法を有する係止部を有することを特徴とする二重ロックコネクタ。
【請求項４】
請求項１に記載の二重ロックコネクタにおいて、
上記第１の端子の上記雄コネクタ内部への挿入方向、および、上記第２の端子の上記雌コネクタ内部への挿入方向と、上記雄コネクタおよび上記雌コネクタへの上記ストッパの取付方向とは、略垂直であり、
上記雄コネクタの内部に挿入されている上記第１の端子、および、上記雌コネクタの内部に挿入されている上記第２の端子は、それぞれ、上記取付方向と反対方向へ突出している端子突起部を有し、
上記ストッパの上記端子案内規制部は、上記取付方向へ突出していると共に上記雄コネクタの内部および上記雌コネクタの内部のそれぞれに挿入されるストッパ突起部を有し、
上記雄コネクタの内部に挿入される上記ストッパ突起部の先端面と、上記雌コネクタの内部に挿入される上記ストッパ突起部の先端面とは、対向するように傾斜しており、
上記第１の端子の上記端子突起部は、上記雄コネクタの内部に挿入される上記ストッパ突起部の先端面を摺動して上記挿入方向へ移動すると共に、上記第２の端子の上記端子突起部は、上記雌コネクタの内部に挿入される上記ストッパ突起部の先端面を摺動して上記挿入方向へ移動することを特徴とする二重ロックコネクタ。
【請求項５】
請求項４に記載の二重ロックコネクタにおいて、
上記第１の端子が上記雄コネクタに取り付けられた状態で、上記第１の端子の上記端子突起部は、上記雄コネクタの内部に挿入される上記ストッパ突起部の先端面を乗り越えて、上記ストッパ突起部の側面に接触すると共に、上記第２の端子が上記雌コネクタに取り付けられた状態で、上記第２の端子の上記端子突起部は、上記雌コネクタの内部に挿入される上記ストッパ突起部の先端面を乗り越えて、上記ストッパ突起部の側面に接触することを特徴とする二重ロックコネクタ。
【請求項６】
請求項１に記載の二重ロックコネクタにおいて、
上記ストッパは、
上記コネクタ案内規制部により、上記雄コネクタと上記雌コネクタとを接続させた後に、
上記端子案内規制部により、上記第１の端子を上記雄コネクタに取り付けると共に上記第２の端子を上記雌コネクタに取り付けることを特徴とする二重ロックコネクタ。
【発明の詳細な説明】
【技術分野】
【０００１】
この発明は、例えば、雄雌コネクタの接続外れ、および、端子の接続外れを防止する二重ロックコネクタに関する。
【背景技術】
【０００２】
従来の二重ロックコネクタには、雄雌コネクタの接続外れを防止する場合と、端子の接続外れを防止する場合とがある。
【０００３】
雄雌コネクタの接続外れを防止する場合では、例えば、実開平６−７９０８１号公報（特許文献１）および実開平２−２０２８７号公報（特許文献２）に、雄雌両コネクタを二重ロックし、さらに、雄雌両コネクタの接続が多少不完全な状態であってもこれを完全に接続させ得る二重ロックコネクタが開示されている。
【０００４】
端子の接続外れを防止する場合では、例えば、実開平３−１０６６６９号公報（特許文献３）に、端子を二重ロックし、さらに、端子のコネクタ内への挿入を確実に行うことができる二重ロックコネクタが開示されている。
【０００５】
しかしながら、上記従来の二重ロックコネクタでは、雄雌コネクタの不完全な接続（半接続）および雄雌コネクタの接続外れを防止する場合と、端子のコネクタ内への不完全な挿入（半挿入）および端子のコネクタからの抜けを防止する場合とは、別の部材が必要になる。すなわち、雄雌コネクタと端子のそれぞれについて、対応部品が必要となり、同時に防止できないという課題がある。
【特許文献１】実開平６−７９０８１号公報
【特許文献２】実開平２−２０２８７号公報
【特許文献３】実開平３−１０６６６９号公報
【発明の開示】
【発明が解決しようとする課題】
【０００６】
そこで、この発明の課題は、雄雌コネクタの半接続、雄雌コネクタの接続外れ、端子のコネクタへの半挿入、および、端子のコネクタからの抜けを、同時に防止することができる二重ロックコネクタを提供することにある。
【課題を解決するための手段】
【０００７】
上記課題を解決するため、この発明の二重ロックコネクタは、
第１の端子を内部に取り付け可能な雄コネクタと、
第２の端子を内部に取り付け可能な雌コネクタと、
対向した状態にある上記雄コネクタおよび上記雌コネクタに取り付け可能なストッパと
を備え、
上記ストッパは、
対向した状態にある上記雄コネクタおよび上記雌コネクタに取り付けられて、上記雄コネクタと上記雌コネクタとを（完全に）接続させるように案内し、かつ、上記雄コネクタと上記雌コネクタとの接続の外れを規制するコネクタ案内規制部と、
対向した状態にある上記雄コネクタおよび上記雌コネクタに取り付けられて、上記雄コネクタの内部に挿入されている上記第１の端子を上記雄コネクタに（完全に）取り付けるように案内し、かつ、上記第１の端子の上記雄コネクタからの外れを規制すると共に、上記雌コネクタの内部に挿入されている上記第２の端子を上記雌コネクタに（完全に）取り付けるように案内し、かつ、上記第２の端子の上記雌コネクタからの外れを規制する端子案内規制部と
を有することを特徴としている。
【０００８】
この発明の二重ロックコネクタによれば、上記ストッパは、上記コネクタ案内規制部を有するので、上記ストッパは、上記雄コネクタおよび上記雌コネクタに取り付けられて、上記雄コネクタと上記雌コネクタとを完全に接続させ、かつ、上記雄コネクタと上記雌コネクタとの接続の外れを規制する。また、上記ストッパは、上記端子案内規制部を有するので、上記ストッパは、上記雄コネクタおよび上記雌コネクタに取り付けられて、上記第１の端子を上記雄コネクタに完全に取り付け、かつ、上記第１の端子の上記雄コネクタからの外れを規制すると共に、上記第２の端子を上記雌コネクタに完全に取り付け、かつ、上記第２の端子の上記雌コネクタからの外れを規制する。
【０００９】
したがって、上記ストッパを上記雄コネクタおよび上記雌コネクタに取り付けることにより、上記雄雌コネクタの不完全な接続（以下、半接続という）、上記雄雌コネクタの接続外れ、上記第１と上記第２の端子の上記雄雌コネクタ内への不完全な挿入（以下、半挿入という）、および、上記第１と上記第２の端子の上記雄雌コネクタからの抜けを、同時に防止できる。
【００１０】
また、一実施形態の二重ロックコネクタでは、
上記雄コネクタと上記雌コネクタとの接続方向と、上記雄コネクタおよび上記雌コネクタへの上記ストッパの取付方向とは、略垂直であり、
上記雄コネクタおよび上記雌コネクタは、それぞれ、上記接続方向および上記取付方向に垂直な方向に突出しているコネクタ突起部を有し、
上記ストッパの上記コネクタ案内規制部は、上記取付方向と反対方向へ延在しているストッパ溝部を有し、
このストッパ溝部は、このストッパ溝部の上記接続方向の幅寸法が、上記取付方向と反対方向へ次第に狭くなっているテーパ部を有し、
上記雄コネクタのコネクタ突起部は、上記ストッパ溝部の上記テーパ部の一方の内面を摺動すると共に、上記雌コネクタのコネクタ突起部は、上記ストッパ溝部の上記テーパ部の他方の内面を摺動して、上記雄コネクタと上記雌コネクタとは、上記接続方向に移動する。
【００１１】
この一実施形態の二重ロックコネクタによれば、上記雄コネクタおよび上記雌コネクタは、それぞれ、上記コネクタ突起部を有し、上記ストッパの上記コネクタ案内規制部は、上記ストッパ溝部を有し、上記雄コネクタのコネクタ突起部と上記雌コネクタのコネクタ突起部とは、上記ストッパ溝部の上記テーパ部の内面を摺動して、上記雄コネクタと上記雌コネクタとは、上記接続方向に移動する。このように、簡単な構成にて、上記雄コネクタと上記雌コネクタとを完全に接続させるように確実に案内できる。
【００１２】
また、一実施形態の二重ロックコネクタでは、上記ストッパ溝部は、上記テーパ部よりも上記取付方向と反対方向に、上記テーパ部における最小の上記幅寸法よりも大きな上記幅寸法を有する係止部を有する。
【００１３】
この一実施形態の二重ロックコネクタによれば、上記ストッパ溝部は、上記係止部を有するので、上記ストッパは、上記雄コネクタおよび上記雌コネクタに取り付けられて、上記雄コネクタのコネクタ突起部および上記雌コネクタのコネクタ突起部は、上記テーパ部を乗り越えて、上記係止部に位置する。このように、簡単な構成にて、上記雄コネクタと上記雌コネクタとの接続の外れを確実に規制できる。
【００１４】
また、一実施形態の二重ロックコネクタでは、
上記第１の端子の上記雄コネクタ内部への挿入方向、および、上記第２の端子の上記雌コネクタ内部への挿入方向と、上記雄コネクタおよび上記雌コネクタへの上記ストッパの取付方向とは、略垂直であり、
上記雄コネクタの内部に挿入されている上記第１の端子、および、上記雌コネクタの内部に挿入されている上記第２の端子は、それぞれ、上記取付方向と反対方向へ突出している端子突起部を有し、
上記ストッパの上記端子案内規制部は、上記取付方向へ突出していると共に上記雄コネクタの内部および上記雌コネクタの内部のそれぞれに挿入されるストッパ突起部を有し、
上記雄コネクタの内部に挿入される上記ストッパ突起部の先端面と、上記雌コネクタの内部に挿入される上記ストッパ突起部の先端面とは、対向するように傾斜しており、
上記第１の端子の上記端子突起部は、上記雄コネクタの内部に挿入される上記ストッパ突起部の先端面を摺動して上記挿入方向へ移動すると共に、上記第２の端子の上記端子突起部は、上記雌コネクタの内部に挿入される上記ストッパ突起部の先端面を摺動して上記挿入方向へ移動する。
【００１５】
この一実施形態の二重ロックコネクタによれば、上記第１の端子および上記第２の端子は、それぞれ、上記端子突起部を有し、上記ストッパの上記端子案内規制部は、上記ストッパ突起部を有し、上記雄コネクタの内部に挿入される上記ストッパ突起部の先端面と、上記雌コネクタの内部に挿入される上記ストッパ突起部の先端面とは、対向するように傾斜しており、上記第１の端子の上記端子突起部は、上記雄コネクタの内部に挿入される上記ストッパ突起部の先端面を摺動して上記挿入方向へ移動すると共に、上記第２の端子の上記端子突起部は、上記雌コネクタの内部に挿入される上記ストッパ突起部の先端面を摺動して上記挿入方向へ移動する。このように、簡単な構成にて、上記第１の端子を上記雄コネクタに完全に取り付けるように確実に案内できると共に、上記第２の端子を上記雌コネクタに完全に取り付けるように確実に案内できる。
【００１６】
また、一実施形態の二重ロックコネクタでは、
上記第１の端子が上記雄コネクタに（完全に）取り付けられた状態で、上記第１の端子の上記端子突起部は、上記雄コネクタの内部に挿入される上記ストッパ突起部の先端面を乗り越えて、上記ストッパ突起部の側面に接触すると共に、上記第２の端子が上記雌コネクタに（完全に）取り付けられた状態で、上記第２の端子の上記端子突起部は、上記雌コネクタの内部に挿入される上記ストッパ突起部の先端面を乗り越えて、上記ストッパ突起部の側面に接触する。
【００１７】
この一実施形態の二重ロックコネクタによれば、上記第１の端子が上記雄コネクタに完全に取り付けられた状態で、上記第１の端子の上記端子突起部は、上記雄コネクタの内部に挿入される上記ストッパ突起部の側面に接触すると共に、上記第２の端子が上記雌コネクタに完全に取り付けられた状態で、上記第２の端子の上記端子突起部は、上記雌コネクタの内部に挿入される上記ストッパ突起部の側面に接触する。このように、簡単な構成にて、上記第１の端子の上記雄コネクタからの外れを確実に規制すると共に、上記第２の端子の上記雌コネクタからの外れを確実に規制することができる。
【００１８】
また、一実施形態の二重ロックコネクタでは、
上記ストッパは、
上記コネクタ案内規制部により、上記雄コネクタと上記雌コネクタとを（完全に）接続させた後に、
上記端子案内規制部により、上記第１の端子を上記雄コネクタに（完全に）取り付けると共に上記第２の端子を上記雌コネクタに（完全に）取り付ける。
【００１９】
この一実施形態の二重ロックコネクタによれば、上記ストッパは、上記雄コネクタと上記雌コネクタとを完全に接続させた後に、上記第１の端子を上記雄コネクタに完全に取り付けると共に上記第２の端子を上記雌コネクタに完全に取り付ける。このように、上記第１の端子と上記第２の端子とを相互に接続するときに、上記雄コネクタと上記雌コネクタとを接続させてから、上記第１の端子と上記第２の端子とを取り付けるので、上記第１の端子と上記第２の端子とに負担をかけることがなく、上記第１の端子と上記第２の端子との損傷を防止できる。
【発明の効果】
【００２０】
この発明の二重ロックコネクタによれば、上記ストッパは、上記コネクタ案内規制部および上記端子案内規制部を有しているので、上記ストッパを上記雄コネクタおよび上記雌コネクタに取り付けることにより、上記雄雌コネクタの半接続、上記雄雌コネクタの接続外れ、上記第１と上記第２の端子の上記雄雌コネクタ内への半挿入、および、上記第１と上記第２の端子の上記雄雌コネクタからの抜けを、同時に防止できる。
【発明を実施するための最良の形態】
【００２１】
以下、この発明を図示の実施の形態により詳細に説明する。
【００２２】
図１は、この発明の二重ロックコネクタの一実施形態である斜視図を示している。この二重ロックコネクタは、例えば、冷蔵庫や自動車等の機械製品に用いられ、第１の端子１０を内部に取り付け可能な雄コネクタ１と、第２の端子２０を内部に取り付け可能な雌コネクタ２と、対向して略接続した状態にある上記雄コネクタ１および上記雌コネクタ２に取り付け可能なストッパ３とを備える。
【００２３】
ここで、上記雄コネクタ１と上記雌コネクタ２との接続方向と、上記雄コネクタ１および上記雌コネクタ２への上記ストッパ３の取付方向とは、略垂直であり、以下の説明において、上記接続方向を、前後方向といい、上記取付方向を、上方向という。
【００２４】
上記第１の端子１０は、雌端子であり、上記第２の端子２０は、雄端子である。なお、上記第１の端子１０は、雄端子であり、上記第２の端子２０は、雌端子であってもよい。
【００２５】
図１と図２に示すように、上記雄コネクタ１は、略角筒状であり、上記第１の端子１０を内部に収容するための前後方向に延在する収容孔部１２を有する。この実施形態では、左右方向に並んでいる二つの上記収容孔部１２，１２を有するが、上記収容孔部１２の数量は、限定されない。
【００２６】
上記雄コネクタ１の上面には、弾性変形可能なロック部１３が設けられ、上記雄コネクタ１の左右側面には、それぞれ、左右方向に突出しているコネクタ突起部１１が設けられている。
【００２７】
図１と図３に示すように、上記雌コネクタ２は、略角筒状であり、上記第２の端子２０および上記雄コネクタ1の一部を内部に収容するための前後方向に延在する収容孔部２２を有する。すなわち、この収容孔部２２の一方から上記第２の端子２０を収容し、この収容孔部２２の他方から上記雄コネクタ1の一部を収容する。この実施形態では、左右方向に並んでいる二つの上記収容孔部２２，２２を有するが、上記収容孔部２２の数量は、限定されない。
【００２８】
上記雌コネクタ２の上面には、上記雄コネクタ１の上記ロック部１３が挿入されて上記ロック部１３と係合するロック受け部２３が設けられ、上記雌コネクタ２の左右側面には、それぞれ、左右方向に突出しているコネクタ突起部２１が設けられている。
【００２９】
図４に示すように、上記雄コネクタ１の底面には、上記収容孔部１２に連通している挿入孔部１４が設けられ、上記雌コネクタ２の底面には、上記収容孔部２２に連通している挿入孔部２４が設けられている。
【００３０】
図１と図５と図６に示すように、上記ストッパ３は、底壁３３と、この底壁３３の左右の端面に取り付けられている左右の側壁３４，３４とを有する。左側壁３４の内面と右側壁３４の内面との間の距離は、上記雄コネクタ１および上記雌コネクタ２の左右幅寸法よりも、若干大きい。
【００３１】
上記左右の側壁３４，３４の内面には、それぞれ、下方向に延在しているストッパ溝部４０を有する。このストッパ溝部４０は、下方向へ順に配置された、（前後方向の）幅寸法が下方向へ次第に狭くなっているテーパ部４１と、幅寸法が一定である直線部４３と、上記テーパ部４１における最小の幅寸法よりも大きな上幅寸法を有する係止部４２とを有する。
【００３２】
上記底壁３３の上面には、（図４に示す）上記雄コネクタ１において上記挿入孔部１４から上記収容孔部１２内へ挿入されると共に上方向へ突出している雄コネクタ用ストッパ突起部５１と、（図４に示す）上記雌コネクタ２において上記挿入孔部２４から上記収容孔部２２内へ挿入されると共に上方向へ突出している雌コネクタ用ストッパ突起部５２とを有する。
【００３３】
上記雄コネクタ用ストッパ突起部５１の先端面５１ａと、上記雌コネクタ用ストッパ突起部５２の先端面５２ａとは、対向するように傾斜している。
【００３４】
次に、この発明の二重ロックコネクタの使用方法、作用および効果を説明する。
【００３５】
まず、二重ロックコネクタの組立を説明する。図１に示すように、上記雄コネクタ１と上記雌コネクタ２とを不完全な状態で接続する。ここで、不完全な状態で接続するとは、上記雄コネクタ１の上記ロック部１３が、上記雌コネクタ２の上記ロック受け部２３に、完全に係止していない状態をいう。なお、予め、上記雄コネクタ１と上記雌コネクタ２とを完全な状態で接続するようにしてもよい。
【００３６】
また、上記雄コネクタ１の上記収容孔部１２に上記第１の端子１０を挿入すると共に、上記雌コネクタ２の上記収容孔部２２に上記第２の端子２０を挿入する。
【００３７】
その後、略接続した状態にある上記雄コネクタ１および上記雌コネクタ２へ上記ストッパ３を取り付けていく。すると、図７Ａに示すように、上記雄コネクタ１のコネクタ突起部１１は、上記ストッパ溝部４０の上記テーパ部４１の一方の内面に接触すると共に、上記雌コネクタ２のコネクタ突起部２１は、上記ストッパ溝部４０の上記テーパ部４１の他方の内面に接触する。
【００３８】
そして、上記ストッパ３を押し込んでいくと、上記両方のコネクタ突起部１１，２１は、上記テーパ部４１の内面を摺動して、上記雄コネクタ１と上記雌コネクタ２とは、前後方向に移動して、完全に接続する。さらに、上記ストッパ３を押し込んでいくと、図７Ｂに示すように、上記両方のコネクタ突起部１１，２１は、上記ストッパ溝部４０の上記直線部４３を摺動する。このとき、上記雄コネクタ用ストッパ突起部５１は、上記雄コネクタ１の上記挿入孔部１４に挿入し始める共に、上記雌コネクタ用ストッパ突起部５２は、上記雌コネクタ２の上記挿入孔部２４に挿入し始める。
【００３９】
その後、上記ストッパ３をさらに押し込んでいくと、図７Ｃに示すように、上記両方のコネクタ突起部１１，２１は、上記ストッパ溝部４０の上記係止部４２に位置する。すなわち、上記両方のコネクタ突起部１１，２１は、上記直線部４３では弾性変形しており、上記係止部４２では復元する。
【００４０】
このように、上記テーパ部４１により、上記雄コネクタ１と上記雌コネクタ２とを完全に接続でき、上記係止部４２により、上記雄コネクタ１と上記雌コネクタ２との接続の外れを確実に規制できる。
【００４１】
さらに、図７Ｂに示すように、上記両方のコネクタ突起部１１，２１が、上記ストッパ溝部４０の上記直線部４３を摺動するときに、図８Ａに示すように、上記雄コネクタ１の内部に挿入されている上記第１の端子１０の下方向に突出している端子突起部１０ａに、上記雄コネクタ用ストッパ突起部５１の先端面５１ａが接触すると共に、図８Ｂに示すように、上記雌コネクタ２の内部に挿入されている上記第２の端子２０の下方向に突出している端子突起部２０ａに、上記雌コネクタ用ストッパ突起部５２の先端面５２ａが接触する。
【００４２】
ここで、図８Ａと図８Ｂに示すように、上記第１の端子１０と上記第２の端子２０とは、不完全な状態で挿入されている（取り付けられている）。不完全な状態で挿入されているとは、上記第１の端子１０のランス１０ｂが、上記雄コネクタ１の上記収容孔部１２の内面に設けられた弾性変形可能なランス受け部１５に係止しておらず、上記第２の端子２０のランス２０ｂが、上記雌コネクタ２の上記収容孔部２２の内面に設けられた弾性変形可能なランス受け部２５に係止していない状態をいう。なお、予め、上記第１の端子１０と上記第２の端子２０とを完全な状態で挿入するようにしてもよい。
【００４３】
そして、上記ストッパ３を押し込んでいくと、上記第１の端子１０の上記端子突起部１０ａは、上記雄コネクタ用ストッパ突起部５１の先端面５１ａを摺動して挿入方向へ移動すると共に、上記第２の端子２０の上記端子突起部２０ａは、上記雌コネクタ用ストッパ突起部５２の先端面５２ａを摺動して挿入方向へ移動する。
【００４４】
その後、図９Ａに示すように、上記第１の端子１０の上記端子突起部１０ａは、上記雄コネクタ用ストッパ突起部５１の先端面５１ａを乗り越えて、上記雄コネクタ用ストッパ突起部５１の側面に接触すると共に、上記第１の端子１０のランス１０ｂが、上記雄コネクタ１の上記ランス受け部１５に係止して、上記第１の端子１０が上記雄コネクタ１に完全に取り付けられる。
【００４５】
一方、図９Ｂに示すように、上記第２の端子２０の上記端子突起部２０ａは、上記雌コネクタ用ストッパ突起部５２の先端面５２ａを乗り越えて、上記雌コネクタ用ストッパ突起部５２の側面に接触すると共に、上記第２の端子２０のランス２０ｂが、上記雌コネクタ２の上記ランス受け部２５に係止して、上記第２の端子２０が上記雌コネクタ２に完全に取り付けられる。
【００４６】
このように、上記雄コネクタ用ストッパ突起部５１により、上記第１の端子１０を上記雄コネクタ１に完全に取り付けることができると共に、上記第１の端子１０の上記雄コネクタ１からの外れを確実に規制できる。また、上記雌コネクタ用ストッパ突起部５２により、上記第２の端子２０を上記雌コネクタ２に完全に取り付けることができると共に、上記第２の端子２０の上記雌コネクタ２からの外れを確実に規制できる。
【００４７】
なお、図７Ｃと図９Ａと図９Ｂに示すように、上記雄コネクタ１および上記雌コネクタ２に上記ストッパ３を完全に取り付けた状態では、図示しないが、上記第１の端子１０と上記第２の端子２０とは、接続した状態にある。
【００４８】
次に、二重ロックコネクタの分解を説明する。図７Ｃと図９Ａと図９Ｂに示す二重ロックコネクタの組立状態から、上記雄コネクタ１および上記雌コネクタ２から上記ストッパ３を取り外し、上記第１の端子１０と上記第２の端子２０とを取り外すと共に、上記雄コネクタ１と上記雌コネクタ２とを分離する。
【００４９】
以上まとめると、上記ストッパ３は、
上記雄コネクタ１と上記雌コネクタ２とを接続させるように案内し、かつ、上記雄コネクタ１と上記雌コネクタ２との接続の外れを規制するコネクタ案内規制部３１と、
上記雄コネクタ１の内部に挿入されている上記第１の端子１０を上記雄コネクタ１に取り付けるように案内し、かつ、上記第１の端子１０の上記雄コネクタ１からの外れを規制すると共に、上記雌コネクタ２の内部に挿入されている上記第２の端子２０を上記雌コネクタ２に取り付けるように案内し、かつ、上記第２の端子２０の上記雌コネクタ２からの外れを規制する端子案内規制部３２と
を有する。
【００５０】
すなわち、上記コネクタ案内規制部３１は、上記ストッパ溝部４０を含み、上記端子案内規制部３２は、上記雄コネクタ用ストッパ突起部５１と上記雌コネクタ用ストッパ突起部５２とを含む。
【００５１】
また、上記ストッパ３は、上記コネクタ案内規制部３１により、上記雄コネクタ１と上記雌コネクタ２とを接続させた後に、上記端子案内規制部３２により、上記第１の端子１０を上記雄コネクタ１に取り付けると共に上記第２の端子２０を上記雌コネクタ２に取り付ける。このように、上記第１の端子１０と上記第２の端子２０とを相互に接続するときに、上記雄コネクタ１と上記雌コネクタ２とを接続させてから、上記第１の端子１０と上記第２の端子２０とを取り付けるので、上記第１の端子１０と上記第２の端子２０とに負担をかけることがなく、上記第１の端子１０と上記第２の端子２０との損傷を防止できる。
【００５２】
なお、この発明は上述の実施形態に限定されない。例えば、上記雄コネクタ１のコネクタ突起部１１を一方のストッパ溝部４０に接触させると共に、上記雌コネクタ２のコネクタ突起部２１を他方のストッパ溝部４０に接触させるようにしてもよい。また、上記雄コネクタ用ストッパ突起部５１の先端面５１ａを傾斜面にする代わりに、上記第１の端子１０の端子突起部１０ａの先端面を傾斜面にするようにしてもよく、同様に、上記雌コネクタ用ストッパ突起部５２の先端面５２ａを傾斜面にする代わりに、上記第２の端子２０の端子突起部２０ａの先端面を傾斜面にするようにしてもよい。また、上記雄コネクタ１と上記雌コネクタ２との接続と、上記第１の端子１０と上記第２の端子２０との取り付けとのタイミングをずらすように調整するために、上記ストッパ溝部４０に上記直線部４３を設ける代わりに、上記雄コネクタ用ストッパ突起部５１および上記雌コネクタ用ストッパ突起部５２の長さを長くするようにしてもよい。
【図面の簡単な説明】
【００５３】
【図１】本発明の二重ロックコネクタの一実施形態を示す斜視図である。
【図２】雄コネクタを示す斜視図である。
【図３】雌コネクタを示す斜視図である。
【図４】雄コネクタおよび雌コネクタの底面側の斜視図である。
【図５】ストッパを示す斜視図である。
【図６】ストッパの内側の斜視図である。
【図７Ａ】半接続の状態の雄コネクタおよび雌コネクタにストッパを装着し始めている状態を示す側面図である。
【図７Ｂ】ストッパの装着により、雄コネクタおよび雌コネクタが、半接続の状態から完全接続した状態を示す側面図である。
【図７Ｃ】雄コネクタおよび雌コネクタにストッパが、完全接続した状態を示す側面図である。
【図８Ａ】雄コネクタに第１の端子を半挿入している状態で、ストッパを装着しようとしている状態を示す断面図である。
【図８Ｂ】雌コネクタに第２の端子を半挿入している状態で、ストッパを装着しようとしている状態を示す断面図である。
【図９Ａ】ストッパの装着により、雄コネクタに第１の端子を完全挿入した状態を示す断面図である。
【図９Ｂ】ストッパの装着により、雌コネクタに第２の端子を完全挿入した状態を示す断面図である。
【符号の説明】
【００５４】
１    雄コネクタ
２    雌コネクタ
３    ストッパ
１０  第１の端子
１０ａ  端子突起部
１１  コネクタ突起部
２０  第２の端子
２０ａ  端子突起部
２１  コネクタ突起部
３１  コネクタ案内規制部
３２  端子案内規制部
４０  ストッパ溝部
４１  テーパ部
４２  係止部
５１  雄コネクタ用ストッパ突起部
５１ａ  先端面
５２  雌コネクタ用ストッパ突起部
５２ａ  先端面
【図１】
2005276648.tif 000003
【図２】
2005276648.tif 000004
【図３】
2005276648.tif 000005
【図４】
2005276648.tif 000006
【図５】
2005276648.tif 000007
【図６】
2005276648.tif 000008
【図７Ａ】
2005276648.tif 000009
【図７Ｂ】
2005276648.tif 000010
【図７Ｃ】
2005276648.tif 000011
【図８Ａ】
2005276648.tif 000012
【図８Ｂ】
2005276648.tif 000013
【図９Ａ】
2005276648.tif 000014
【図９Ｂ】
2005276648.tif 000015